(57)【要約】【課題】難変形材料で形成された外装部材を簡易な構成により確実に固定することのできる外装部材の固定構造、時計及び外装部材の固定方法を提供する。【解決手段】環状の外装部材５を、ケース１の開口側端部の上面に沿って配置し、金属材料で形成された環状の固定部材６を、外装部材５の内側に設け、ケース１の開口側端部に設けられ内側に向かって張り出す第１の張出部１５及び外装部材５の下部に設けられ外装部材５の環状中心に向かって内側に張り出す第２の張出部５２を、固定部材６の上部に設けられた第３の張出部６１と固定部材６の下部に設けられた第４の張出部６２とによりともに挟み込む構造とした。【選択図】図２
2015045601.tif 000002
【特許請求の範囲】
【請求項１】
開口部を有し、開口側端部に内側に向かって張り出す第１の張出部を備えるケースと、
前記ケースの前記開口側端部の上面に環状に形成され、前記環状の中心に向かって内側に張り出す第２の張出部を備えた外装部材と、
金属材料により前記外装部材の内側に環状に形成され、前記外装部材に向かって外側に張り出す第３の張出部と、下部において前記第３の張出部の張出し方向に向かって張り出す第４の張出部と、を備えた固定部材と、
を備え、
前記第３の張出部と前記第４の張出部とにより前記第１の張出部及び前記第２の張出部がともに挟み込まれる構造を有することを特徴とする外装部材の固定構造。
【請求項２】
前記外装部材と前記固定部材との間に接合部を設けたことを特徴とする請求項１に記載の外装部材の固定構造。
【請求項３】
前記接合部は、ろう付け又は接着固定のいずれかにより前記外装部材と前記固定部材とを接合させるものであることを特徴とする請求項２に記載の外装部材の固定構造。
【請求項４】
前記第４の張出部は折り曲げ加工可能であり、
前記外装部材を形成する材料は、セラミック又はガラスのいずれかであることを特徴とする請求項１から請求項３のいずれか一項に記載の外装部材の固定構造。
【請求項５】
前記ケースの開口部を覆うように設けられた風防部材を備え、
前記外装部材は、前記ケースと前記風防部材との境界部分に介在し前記風防部材を係止するベゼルであることを特徴とする請求項１から請求項３のいずれか一項に記載の外装部材の固定構造。
【請求項６】
請求項１から請求項５のいずれか一項に記載の外装部材の固定構造と、
時計モジュールと、
を備えることを特徴とする時計。
【請求項７】
環状の外装部材を、ケースの開口側端部の上面に沿って配置し、
金属材料で形成された環状の固定部材を、前記外装部材の内側に設け、
前記ケースの前記開口側端部に設けられ内側に向かって張り出す第１の張出部及び前記外装部材の下部に設けられ前記外装部材の環状中心に向かって内側に張り出す第２の張出部を、前記固定部材の上部に設けられた第３の張出部と前記固定部材の下部に設けられた第４の張出部とによりともに挟み込むことを特徴とする外装部材の固定方法。
【発明の詳細な説明】
【技術分野】
【０００１】
本発明は、外装部材の固定構造、時計及び外装部材の固定方法に関するものである。
【背景技術】
【０００２】
従来、時計等の視認側にベゼルや加飾リング等の環状の外装部材を取り付けたものが知られている。
このような外装部材を固定する手法としては、例えば、ケースに接着剤等で固定したり、防水リング（パッキン）等を介して圧入固定する手法が一般的である。
例えば樹脂等の比較的軽い材料で形成された外装部材であれば、このような接着固定や圧入固定のみでもケースからの脱落を防ぐことができる。
しかし、外装部材が金属材料等で形成された重いものである場合には、接着固定や圧入固定では確実に固定することが難しく、使用しているうちに徐々に接着部分が剥がれたり、緩んだりすることで、外装部材が外れて脱落するおそれがある。
【０００３】
この点、例えば、特許文献１には、外装部材（ベゼル）をケースに装着した上から樹脂等で形成され外装部材（ベゼル）の外周面及びケースの外周面を覆うカバー部材を設けて、このカバー部材とケースとをビスにより固定する構成が開示されている。
また、特許文献２には、外装部材（ベゼル）をネジによりケースに固定する構成が開示されている。
このような構成を採用すれば、外装部材（ベゼル）をケースに確実に固定して、ケースからの脱落を防止することができる。
【先行技術文献】
【特許文献】
【０００４】
【特許文献１】特開２０１３−０５４０４４号公報
【特許文献２】特開平１０−１１５６８８号公報
【発明の概要】
【発明が解決しようとする課題】
【０００５】
しかしながら、特許文献１に記載されているように、外装部材（ベゼル）の外周面及びケースの外周面を覆うカバー部材を設けた場合には、外装部材を搭載した装置（例えば腕時計）全体が大型化し、デザイン上も制約を受けてしまうとの問題がある。
また、特許文献１や特許文献２に記載されている構成では、部品点数が増え、構造も複雑化してしまうため、組立工数も多くなり、コストも高くなってしまう。
【０００６】
さらに、近年、デザイン等の観点から、外装部材を形成する材料として、セラミックやガラス等を用いたいという要望もある。
しかし、セラミックやガラス等は、折り曲げ加工等が難しい難変形材料であり、このような材料を用いて複雑な形状の外装部材を形成することは難しい。
また、こうした材料は、割れやすいものであるため、特許文献２に記載されているようなビス止め固定を行うと、固定部分の周辺から割れやひび等が生じてしまうおそれもある。
【０００７】
本発明は以上のような事情に鑑みてなされたものであり、難変形材料で形成された外装部材を簡易な構成により確実に固定することのできる外装部材の固定構造、時計及び外装部材の固定方法を提供することを目的とするものである。
【課題を解決するための手段】
【０００８】
前記課題を解決するために、本発明に係る外装部材の固定構造は、
開口部を有し、開口側端部に内側に向かって張り出す第１の張出部を備えるケースと、
前記ケースの前記開口側端部の上面に環状に形成され、前記環状の中心に向かって内側に張り出す第２の張出部を備えた外装部材と、
金属材料により前記外装部材の内側に環状に形成され、前記外装部材に向かって外側に張り出す第３の張出部と、下部において前記第３の張出部の張出し方向に向かって張り出す第４の張出部と、を備えた固定部材と、
を備え、
前記第３の張出部と前記第４の張出部とにより前記第１の張出部及び前記第２の張出部がともに挟み込まれる構造を有することを特徴としている。
【０００９】
また、本発明に係る時計は、
請求項１から請求項５のいずれか一項に記載の外装部材の固定構造と、
時計モジュールと、
を備えることを特徴としている。
【００１０】
また、本発明に係る外装部材の固定方法は、
環状の外装部材を、ケースの開口側端部の上面に沿って配置し、
金属材料で形成された環状の固定部材を、前記外装部材の内側に設け、
前記ケースの前記開口側端部に設けられ内側に向かって張り出す第１の張出部及び前記外装部材の下部に設けられ前記外装部材の環状中心に向かって内側に張り出す第２の張出部を、前記固定部材の上部に設けられた第３の張出部と前記固定部材の下部に設けられた第４の張出部とによりともに挟み込むことを特徴としている。
【発明の効果】
【００１１】
本発明によれば、難変形材料で形成された外装部材を簡易な構成により確実に固定することができるという効果を奏する。
【図面の簡単な説明】
【００１２】
【図１】本実施形態における外装部材の固定構造を適用した腕時計の正面図である。
【図２】図１の腕時計におけるII−II線断面図である。
【図３】第１の実施形態における腕時計における３時位置周辺を拡大した要部断面図であり、（ａ）は、第４の張出部の折り曲げ前の状態を示し、（ｂ）は、第４の張出部の折り曲げ後の状態を示している。
【図４】第２の実施形態における腕時計における３時位置周辺を拡大した要部断面図であり、（ａ）は、第４の張出部の折り曲げ前の状態を示し、（ｂ）は、第４の張出部の折り曲げ後の状態を示している。
【発明を実施するための形態】
【００１３】
［第１の実施形態］
先ず、図１から図３を参照しつつ、本発明に係る外装部材の固定構造及びこれを備える時計の第１の実施形態を説明する。なお、本実施形態では、外装部材の固定構造を腕に装着するタイプの時計（以下「腕時計」という。）に設ける場合を例として説明する。
【００１４】
図１は、本実施形態に係る時計（腕時計）の正面図であり、図２は、図１におけるII−II線に沿う断面図であり、図３（ａ）及び図３（ｂ）は、図１における腕時計の３時方向周辺を拡大した要部断面図である。
本実施形態に係る腕時計１００は、例えば、図示しない指針（秒針、分針、時針）を回転させて時刻を表示するアナログ方式の時計である。なお、図１から図３では、指針等について図示を省略している。
【００１５】
図２、図３（ａ）及び図３（ｂ）に示すように、腕時計１００は、中空の短柱形状に形成されたケース１を備えている。本実施形態においてケース１は、例えばステンレス、チタニウム等の金属材料によって形成されている。なお、ケース１は、金属材料で形成されているものに限定されず、例えば樹脂等により形成されているものであってもよい。
ケース１の内部には、例えば指針を動作させるための駆動源となるモータや歯車機構等が搭載された時計モジュール１０（図２において二点鎖線で示す。）が収容されている。
【００１６】
図１に示すように、このケース１の外側面であって時計の１２時方向側及び６時方向側（すなわち図１において上下両端部）には、時計バンド（図示せず）が取り付けられるバンド取付部１１が形成されている。
また、図２に示すように、ケース１の側部には、外部から内部に貫通する貫通孔１２が設けられている。この貫通孔１２には、操作ボタン２の軸部が挿入されている。操作ボタン２の先端部は、ケース１内部に収容されている時計モジュール１０と接続されており、操作ボタン２を押し込み又は回転させることによって各種操作が可能となるように構成されている。
【００１７】
本実施形態のケース１は、図２における上下に開口部１３，１４を有している。
ケース１の下側（図２において下側、腕時計１００の裏面側）には、裏蓋部材３が防水リング３１等を介して裏面側の開口部１３を閉塞するように取り付けられている。なお、ケース１と裏蓋部材３とを一体成型し、ケース１の下側に開口部１３を設けない構成としてもよい。
表面側の開口部１４の側には、開口部１４を覆うように風防部材としてのカバーガラス４が設けられている。カバーガラス４は、防水リング４１等を介して後述する外装部材５と密着し、気密性が確保された状態で表面側の開口部１４を閉塞するようになっている。
また、ケース１の上側（図２において上側、腕時計１００の表面側、視認側）の開口部１４の開口側端部には、ケース１の内側に向かって張り出す第１の張出部１５が設けられている。本実施形態では、第１の張出部１５は、ケース１の内周に沿って周方向の全体に亘って設けられている。
【００１８】
また、図３（ａ）及び図３（ｂ）に示すように、腕時計１００には、ケース１の開口部１４の側の端面（すなわち、開口側端部の上面）に沿って環状の外装部材５が設けられている。
本実施形態において、外装部材５は、ケース１と風防部材としてのカバーガラス４との境界部分に介在しカバーガラス４を係止するベゼルである。外装部材５は、防水リング５１等を介してケース１の開口側端部の上面に配置されている。また、外装部材５の上部の内側面は、前述のように、防水リング４１等を介してカバーガラス４と密着しており、これにより、カバーガラス４が外れて脱落することが防止される。
なお、外装部材５はカバーガラス４を係止するベゼルに限定されず、例えば、腕時計１００の視認側を加飾する加飾リング等であってもよい。
【００１９】
外装部材５は、折り曲げ加工等が困難である難変形材料により形成されている。
外装部材５を形成する難変形材料としては、例えば、セラミックやガラス、硬質なプラスチック等が挙げられる。
なお、外装部材５を形成する材料は、ここに例示したものに限定されず、折り曲げ加工等が困難である難変形材料であれば広く適用可能である。
【００２０】
外装部材５は、その下部に外装部材５の環状中心に向かって内側に張り出す第２の張出部５２を備えている。本実施形態では、第２の張出部５２は、外装部材５の内周に沿って周方向の全体に亘って設けられている。
第２の張出部５２の大きさ等は図示例に限定されない。例えば、第２の張出部５２は、外装部材５の環状中心に向かって図示例よりもさらに内側に大きく張り出し、ケース１の第１の張出部１５の上に載置される形状となっていてもよい。
【００２１】
また、外装部材５の内側には、固定部材６が設けられている。
固定部材６は、ケース１及び外装部材５の内側面に沿う環状に形成されている。
固定部材６は、例えば、ステンレスやチタン等の金属材料で形成されている。なお、固定部材６は、折り曲げ加工が可能な材料で形成されていればよく、固定部材６を形成する材料はここに示したものに限定されない。
【００２２】
固定部材６の上部には、外装部材５に向かって外側に張り出す第３の張出部６１が設けられている。
また、固定部材６の下部には、下方に張り出すとともに第３の張出部６１の張出し方向に向かって折り曲げ加工可能な第４の張出部６２を備えている。
本実施形態では、第３の張出部６１及び第４の張出部６２は、固定部材６の周方向の全体に亘って設けられている。なお、第４の張出部６２には、張り出し方向に沿うスリットが複数個所設けられていてもよい。第４の張出部６２にスリットを設けることにより、折り曲げ加工が容易となる。
【００２３】
図３（ａ）は、第４の張出部６２に折り曲げ加工を施す前の状態を示しており、図３（ｂ）は、第４の張出部６２に折り曲げ加工を施した状態を示している。
第４の張出部６２を、図３（ａ）において矢印で示すように第３の張出部６１の張出し方向に向かって折り曲げることにより、図３（ｂ）に示すように、第３の張出部６１と第４の張出部６２とが同じ方向（ケース１及び外装部材５に向かって外側に張り出す方向）に向くようになっている。
本実施形態では、第１の張出部１５を備えるケース１と、第２の張出部５２を備える外装部材５と、第３の張出部６１及び第４の張出部６２を備える固定部材６と、により、外装部材の固定構造が構成されており、第４の張出部６２が折り曲げられた状態において、第３の張出部６１と第４の張出部６２とにより第１の張出部１５及び第２の張出部５２がともに挟み込まれる構造となっている。
【００２４】
また、カバーガラス４と固定部材６との間には、見切り部材７が配置されている。見切り部材７は、図示しない文字板の周縁部をカバーする。
【００２５】
次に、本実施形態における外装部材５の固定方法について説明する。
【００２６】
腕時計１００を組み立てる際には、まず、ケース１の裏面側の開口部１３に防水リング３１等を介して裏蓋部材３を取り付けて裏面側の開口部１３を閉塞する。
外装部材５を固定するには、ケース１の視認側の開口部１４の開口側端部の上面に防水リング５１を配置し、この防水リング５１を介して開口部１４の開口側端部の上面に外装部材５を配置する。
次に、外装部材５の内側に固定部材６を配置する。このとき、固定部材６の第３の張出部６１が、外装部材５の第２の張出部５２の上に被さるようにする。
さらに、固定部材６の第４の張出部６２を、図３（ａ）において矢印で示す方向（すなわち、第３の張出部６１の張出し方向）に折り曲げる。これにより、第４の張出部６２は、ケース１の第１の張出部１５の下面に当接し、第３の張出部６１と第４の張出部６２との間に第１の張出部１５及び第２の張出部５２がともに挟み込まれる。このように第４の張出部６２が折り曲げられた状態において、セラミック等の難変形材料で形成された外装部材５がケース１に確実に固定される。
外装部材５の固定が完了すると、ケース１の内部に時計モジュール１０等を収容する。また、固定部材６の上に見切り部材７を配置する。さらに、見切り部材７の上から、防水リング４１等を介してカバーガラス４を圧入し、外装部材５によりカバーガラス４を係止させる。これにより、腕時計１００の組み立てが完了する。
【００２７】
以上のように、本実施形態によれば、固定部材６に設けられた第３の張出部６１及び第４の張出部６２により、ケース１に設けられた第１の張出部１５と外装部材５に設けられた第２の張出部５２とをともに上下から挟み込むようになっている。このため、外装部材５自体に折り曲げ加工等を施すことなく、外装部材５が緩みにくく外れにくい強固な構成とすることができる。これにより、セラミックやガラス等のように折り曲げ加工等ができない又は困難である難変形材料によって簡易に外装部材５を形成することができる。
また、ケース１に第１の張出部１５を設け、外装部材５に第２の張出部５２を設け、固定部材６に第３の張出部６１及び第４の張出部６２を設けて、第４の張出部６２に折り曲げ加工を施すだけで外装部材５の固定を行うことができる。このため、外装部材５を固定するための構成を簡易にすることができ、部品の製造や加工にかかる時間や費用を低減させることができる。
また、樹脂や金属材料等、形状の変形加工が容易な材料で外装部材５を形成した場合とほぼ同じスペースで、難変形材料で形成された外装部材５の固定を行うことができる。このため、外装部材の固定構造を適用した装置（例えば腕時計１００）全体の大型化、構造の複雑化を回避することができる。また、従来の樹脂や金属材料等の外装部材を取り付けていたケースを流用することも可能になり、コスト削減を図ることもできる。
また、このように、大きな設計変更を行うことなしに、外装部材５を形成する材料として、セラミックやガラス等の難変形材料を用いることができる。このため、金属材料や樹脂材料とは異なる異素材の材質感等を生かしたデザインを簡易な手法で実現することができ、デザインの自由度、バリエーションを広げることができる。
また、ケース１に外装部材５を固定するための凹凸等を設ける必要もなく、また外装部材５を固定するための金属材料部材が視認側の表面に露出することがない。このため、ケース１の表面にデザイン加工等を施す場合（例えばケース表面にヘアライン仕上げ加工を施す場合等）にデザイン加工が阻害されず、デザイン選択の自由度が向上するとともに、外部から視認した際の外観にも優れている。
また、本実施形態では、ケース１の開口部１４を覆うようにカバーガラス４（風防部材）を設け、外装部材５は、ケース１とカバーガラス４との境界部分に介在しカバーガラス４を係止するベゼルである場合を例示している。このように、ベゼルをセラミックやガラス等の難変形材料で形成した場合にも、カバーガラス４とベゼルとの間に金属部品等が露出することがなく、優れたデザイン性を実現することができる。
また、時計が本実施形態に示したような外装部材の固定構造を備える場合には、難変形材料で形成された外装部材５を固定部材６によって簡易にケース１に取り付けることができる。このため、時計全体が大型化したり、構成が複雑化して部品点数や組み立て工数が多くなったりすることなく、セラミックやガラス等の難変形材料で形成された外装部材５を時計に用いることができ、デザインのバリエーションを広げることができる。
【００２８】
［第２の実施形態］
次に、図４（ａ）及び図４（ｂ）を参照しつつ、本発明に係る外装部材の固定構造及びこれを備える時計の第２の実施形態について説明する。なお、本実施形態は、外装部材と固定部材との固定態様のみが第１の実施形態と異なるものであるため、以下においては、特に第１の実施形態と異なる点について説明する。
【００２９】
図４（ａ）及び図４（ｂ）に示すように、本実施形態において、外装部材の固定構造は、第１の実施形態と同様に、第１の張出部１５を備えるケース１と、第２の張出部５２を備える外装部材５と、第３の張出部６１及び第４の張出部６２を備える固定部材６と、を備えている。
【００３０】
また、本実施形態では、外装部材５と固定部材６との間に接合部８が設けられている。
本実施形態において、接合部８は、ろう付けにより外装部材５と固定部材６とを固定するものである。すなわち、外装部材５の内側と固定部材６の外側との間に融点の低い合金（ろう）を溶かし入れて外装部材５と固定部材６とを接合させる。
なお、接合部８は、外装部材５と固定部材６とを接合させることができるものであればよく、ろう付けによるものに限定されない。例えば、はんだ付け等、他の溶接手法を用いてもよいし、接着剤や両面テープ等を用いた接着固定等であってもよい。
【００３１】
なお、外装部材の固定構造のその他の構成や時計（本実施形態では腕時計）の構成は、第１の実施形態で説明したものと同様であることから、同一部材には同一の符号を付して、その説明を省略する。
【００３２】
次に、本実施形態における外装部材５の固定方法について説明する。
なお、腕時計全体の組み立てについては、第１の実施形態で説明したものと同様であるため、説明を省略する。
【００３３】
外装部材５を固定するには、まず、外装部材５の内側に固定部材６を配置する。このとき、図４（ａ）に示すように、外装部材５の第２の張出部５２の上に固定部材６の第３の張出部６１が被さるように位置を合わせる。そして、この状態で外装部材５と固定部材６とをろう付け等により接合する。
次に、ケース１の視認側の開口部１４の開口側端部の上面に防水リング５１を配置し、この防水リング５１を介して開口部１４の開口側端部の上面に外装部材５が載置されるように、接合された外装部材５と固定部材６とを配置する。
さらに、固定部材６の第４の張出部６２を、図４（ａ）において矢印で示す方向（すなわち、第３の張出部６１の張出し方向）に折り曲げる。これにより、第４の張出部６２は、ケース１の第１の張出部１５の下面に当接し、第３の張出部６１と第４の張出部６２との間に第１の張出部１５及び第２の張出部５２がともに挟み込まれる。このように第４の張出部６２が折り曲げられた状態において、セラミック等の難変形材料で形成された外装部材５がケース１に確実に固定される。
なお、その他の点については、第１の実施形態と同様であるため、その説明を省略する。
【００３４】
以上のように、本実施形態によれば、第１の実施形態と同様の効果を得られる他、以下の効果を得ることができる。
すなわち、本実施形態では、外装部材５と固定部材６との間に接合部８を設けている。このため、固定部材６の第３の張出部６１と第４の張出部６２とによってケース１の第１の張出部１５及び外装部材５の第２の張出部５２を挟み込んだ際に、外装部材５とケース１とをより確実に固定することができる。
また、外装部材５と固定部材６とを接合することにより、外装部材５が固定部材６に対して回転することを防止することができる。このため、例えば外装部材５が円環状でなく、多角形状のデザインである等により、外装部材５の位置ずれが時計全体のデザインに関わるような場合に、外装部材５の位置ずれを確実に防止することができる。
また、外装部材５と固定部材６とを接合することで、外装部材５と固定部材６とを一体的にケース１に組み付けることができ、組立作業の簡易化を図ることができる。
また、本実施形態では、ろう付けにより接合部８を構成している。このため、接合作業等が容易であり、接合のための時間や費用を低く抑えることができる。
【００３５】
なお、以上本発明の実施形態について説明したが、本発明は、かかる実施形態に限定されず、その要旨を逸脱しない範囲で、種々変形が可能であることは言うまでもない。
【００３６】
例えば、上記各実施形態では、ケース１の第１の張出部１５、外装部材５の第２の張出部５２、固定部材６の第３の張出部６１及び第４の張出部６２が、いずれも周方向の全体に亘って設けられている場合を例示しているが、第１の張出部１５、第２の張出部５２、第３の張出部６１及び第４の張出部６２の設けられる位置や範囲は、例示したものに限定されない。
例えば、固定部材６の第３の張出部６１及び第４の張出部６２が、周方向の一部のみに設けられていてもよい。
この場合、第３の張出部６１及び第４の張出部６２を設ける位置や数は特に限定されないが、周方向にほぼ均一な間隔で複数（例えば３つ以上）設けることが好ましい。また、第３の張出部６１及び第４の張出部６２は、上下方向の対応する位置に設けられることが好ましい。このように配置することで、第３の張出部６１と第４の張出部６２とにより確実に第１の張出部１５及び第２の張出部５２を挟み込むことができる。
また、第３の張出部６１については周方向の全体に亘って設け、第４の張出部６２については、周方向の一部のみに設けてもよい。この場合には、例えば、固定部材の周方向に沿って、突起状（又は爪状）の第４の張出部を設ける。突起状（又は爪状）の第４の張出部を設ける場合、その配置や数は特に限定されないが、周方向にほぼ均一な間隔で複数（例えば３つ以上）設けることが好ましい。複数の突起状（又は爪状）の第４の張出部を備える場合、この第４の張出部を同時又は順次にかしめることにより、第３の張出部６１と第４の張出部６２との間に第１の張出部１５及び第２の張出部５２を挟み込む。
このように、第３の張出部６１や第４の張出部６２を、周方向の全体に設けず、一部のみに設けた場合には、環状の固定部材６であっても第４の張出部６２を折り曲げ加工しやすい。また、固定部材６の重量を軽くすることができ、装置全体の軽量化を図ることができる。
また、ケース１の第１の張出部１５や外装部材５の第２の張出部５２についても、周方向の一部のみに設けられていてもよい。なお、ケース１の第１の張出部１５、外装部材５の第２の張出部５２、固定部材６の第３の張出部６１及び第４の張出部６２が、いずれも周方向の一部のみに設けられている場合には、第１の張出部１５及び第２の張出部５２と、第３の張出部６１及び第４の張出部６２との位置が合うように、外装部材５及び固定部材６をケース１内に配置する。
【００３７】
また、上記各実施形態では、時計が、指針を回転させて時刻を表示するアナログ方式の腕時計１００である場合を例示したが、時計は、アナログ方式のものに限定されない。
例えば、時刻やカレンダ情報等の各種情報を表示させる表示部（例えば液晶表示部）を備えるデジタル方式の時計でもよい。また、デジタル方式及びアナログ方式の両方を備える時計であってもよい。
また、腕時計でなく、懐中時計や、キーホルダ等で鞄等に着脱可能に構成された時計等でもよい。
【００３８】
また、上記各実施形態では、外装部材の固定構造が時計に適用された場合を例示したが、外装部材の固定構造は時計に適用される場合に限定されない。
例えば、歩数計や心拍数計、高度計、気圧計等のケースに外装部材を固定する場合に、本発明の外装部材の固定構造を適用してもよい。
【００３９】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
開口部を有し、開口側端部に内側に向かって張り出す第１の張出部を備えるケースと、
前記ケースの前記開口側端部の上面に環状に形成され、前記環状の中心に向かって内側に張り出す第２の張出部を備えた外装部材と、
金属材料により前記外装部材の内側に環状に形成され、前記外装部材に向かって外側に張り出す第３の張出部と、下部において前記第３の張出部の張出し方向に向かって張り出す第４の張出部と、を備えた固定部材と、
を備え、
前記第３の張出部と前記第４の張出部とにより前記第１の張出部及び前記第２の張出部がともに挟み込まれる構造を有することを特徴とする外装部材の固定構造。
＜請求項２＞
前記外装部材と前記固定部材との間に接合部を設けたことを特徴とする請求項１に記載の外装部材の固定構造。
＜請求項３＞
前記接合部は、ろう付け又は接着固定のいずれかにより前記外装部材と前記固定部材とを接合させるものであることを特徴とする請求項２に記載の外装部材の固定構造。
＜請求項４＞
前記第４の張出部は折り曲げ加工可能であり、
前記外装部材を形成する材料は、セラミック又はガラスのいずれかであることを特徴とする請求項１から請求項３のいずれか一項に記載の外装部材の固定構造。
＜請求項５＞
前記ケースの開口部を覆うように設けられた風防部材を備え、
前記外装部材は、前記ケースと前記風防部材との境界部分に介在し前記風防部材を係止するベゼルであることを特徴とする請求項１から請求項３のいずれか一項に記載の外装部材の固定構造。
＜請求項６＞
請求項１から請求項５のいずれか一項に記載の外装部材の固定構造と、
時計モジュールと、
を備えることを特徴とする時計。
＜請求項７＞
環状の外装部材を、ケースの開口側端部の上面に沿って配置し、
金属材料で形成された環状の固定部材を、前記外装部材の内側に設け、
前記ケースの前記開口側端部に設けられ内側に向かって張り出す第１の張出部及び前記外装部材の下部に設けられ前記外装部材の環状中心に向かって内側に張り出す第２の張出部を、前記固定部材の上部に設けられた第３の張出部と前記固定部材の下部に設けられた第４の張出部とによりともに挟み込むことを特徴とする外装部材の固定方法。
【符号の説明】
【００４０】
１      ケース
５      外装部材
６      固定部材
８      接合部
１５    第１の張出部
５２    第２の張出部
６１    第３の張出部
６２    第４の張出部
１００  腕時計
【図１】
2015045601.tif 000003
【図２】
2015045601.tif 000004
【図３】
2015045601.tif 000005
【図４】
2015045601.tif 000006